(57)【要約】【課題】マルチメディアコンテンツの再生時にスクリーンに表示されるリング・マルチメディア再生進度インジケータ及びその信号指示方法を提供する。【解決手段】マルチメディアの再生制御時に前記スクリーンに表示されるリング表示領域と、１または複数の状態パターンにより再生状態を表示する状態指示領域と、リング・棒状領域によりマルチメディアコンテンツの再生の長さを表示するリング時間バーと、リング・棒状色領域によりマルチメディアコンテンツの一時的記憶状態をダイナミックに表示するリング・一時的記憶指示領域と、マルチメディアコンテンツの再生進度をダイナミックに表示する進度インジケーションとを含み、前記各領域が異なる色又は透明程度で表示機能を区別させる。【選択図】図４
2007206809.tif 000002
【特許請求の範囲】
【請求項１】
マルチメディアコンテンツの再生制御時にスクリーンに表示されるリング・マルチメディア再生進度インジケータであって、
マルチメディアの再生制御時に前記スクリーンに表示されるリング・色領域であるリング表示領域と、
前記リング表示領域に表示され、１または複数の状態パターンにより前記マルチメディアコンテンツの再生状態を表示する状態指示領域と、
前記リング表示領域に表示され、リング・棒状領域により前記マルチメディアコンテンツの再生の長さを表示するリング時間バーと、
前記リング時間バーに表示され、リング・棒状色領域により前記マルチメディアコンテンツの一時的記憶状態をダイナミックに表示するリング・一時的記憶指示領域と、
前記リング・一時的記憶指示領域に表示され、前記マルチメディアコンテンツの再生進度をダイナミックに表示する進度インジケーションとを含み、
前記状態パターン、リング時間バーのリング棒状領域、リング・一時的記憶指示領域の棒状色領域、進度インジケーション及びリング表示領域のリング・色領域が、隣接同士に対し異なる表示態様の色領域とすることによって、各領域の表示の機能を区別させることを特徴とするリング・マルチメディア再生進度インジケータ。
【請求項２】
さらに、少なくとも一つの時間表示領域を含むことを特徴とする請求項１記載のリング・マルチメディア再生進度インジケータ。
【請求項３】
前記時間表示領域が、前記マルチメディアコンテンツをバッファ内に記憶する時間範囲を表示することを特徴とする請求項２記載のリング・マルチメディア再生進度インジケータ。
【請求項４】
前記時間表示領域が、前記マルチメディアコンテンツの再生進度を表示することを特徴とする請求項２記載のリング・マルチメディア再生進度インジケータ。
【請求項５】
前記時間表示領域が、前記マルチメディアコンテンツの再生時間の長さを表示することを特徴とする請求項２記載のリング・マルチメディア再生進度インジケータ。
【請求項６】
録画指示領域は、前記リング時間バーに表示され、前記マルチメディアコンテンツを記憶メディアに録画させる状態を指示することを特徴とする請求項１記載のリング・マルチメディア再生進度インジケータ。
【請求項７】
前記状態指示領域に表示される状態パターンが、再生パターン、一時停止パターン、停止パターン、早い送り及び早戻しパターンを含むことを特徴とする請求項１記載のリング・マルチメディア再生進度インジケータ。
【請求項８】
前記リング・マルチメディア再生進度インジケータが、設定又は予設により前記スクリーンのある位置上に表示されることを特徴とする請求項１記載のリング・マルチメディア再生進度インジケータ。
【請求項９】
マルチメディアコンテンツの再生制御時にスクリーンに表示されるリング・マルチメディア再生進度インジケータの信号指示方法であって、
マルチメディアコンテンツを受信する工程と、
マルチメディアコンテンツをバッファに一時的記憶する工程と、
マルチメディアコンテンツを再生する工程と、
マルチメディア再生の制御信号を受信する工程と、
リング・マルチメディア再生進度インジケータを起動する工程と、
リング・マルチメディア再生進度インジケータをスクリーンに表示する工程と、
マルチメディアコンテンツの再生の長さを指示するリング時間バーを表示する工程と、
１または複数の状態パターンをリング・マルチメディア再生進度インジケータに表示させることで、前記マルチメディアコンテンツの再生状態を表示する工程と、
リング・棒状色領域でリング時間バーにダイナミックに表示させることで、マルチメディアコンテンツの一時的記憶状態を表示する工程と、
リング時間バーにダイナミックに表示される進度インジケーションより、マルチメディアコンテンツの再生進度を表示する工程とを含むことを特徴とするリング・マルチメディア再生進度インジケータの信号指示方法。
【請求項１０】
前記制御信号を受信した一段の時間内に、前記リング・マルチメディア再生進度インジケータの表示を削除することを特徴とする請求項９記載のリング・マルチメディア再生進度インジケータの信号指示方法。
【請求項１１】
さらに、前記マルチメディアコンテンツを記憶メディアに録画する工程を含むことを特徴とする請求項９記載のリング・マルチメディア再生進度インジケータの信号指示方法。
【請求項１２】
マルチメディアコンテンツを再生する工程と、
リング・マルチメディア再生進度インジケータをスクリーンに表示する工程と、
制御信号を検出する工程と、
所定色のリング・一時的記憶指示領域で一時的記憶状態を表示する工程と、
所定色の録画指示領域で記憶メディアに録画される状態を表示する工程と、
一時停止または停止信号を受信すると、該リング・マルチメディア再生進度インジケータのリング時間バー上の進度インジケーションを停止する工程と、
早送り、早戻し制御信号を受信すると、進度インジケータが早送り、早戻しを行う工程と、
一時的記憶及び録画する工程とを含むことを特徴とするリング・マルチメディア再生進度インジケータの信号指示方法。
【請求項１３】
前記一時的記憶工程が、マルチメディアコンテンツをバッファ内に一時的記憶する工程であることを特徴とする請求項１２記載のリング・マルチメディア再生進度インジケータの信号指示方法。
【請求項１４】
前記録画工程が、マルチメディアコンテンツを記憶メディアに録画する工程であることを特徴とする請求項１２記載のリング・マルチメディア再生進度インジケータの信号指示方法。
【発明の詳細な説明】
【技術分野】
【０００１】
本発明は、リング・マルチメディア再生進度インジケータ及びその信号指示方法に係わり、とくに、マルチメディア再生制御の時にスクリーンに表示されるリング・マルチメディア再生進度インジケータを指すものである。
【背景技術】
【０００２】
従来の無線受信の地上テレビ局及びケーブル受信のケーブルＴＶの他に、ネットワークＴＶまたはＶＯＤ（ビデオ  オン  デマンド）のＴＶ視聴手段もある。
【０００３】
従来の技術、例えば、米国特許第５７０１３８３号に掲示されている映像時間変換再生装置は、マルチライトヘッド（ｗｒｉｔｅ  ｈｅａｄ）の録音システムに用いられ、その一つの実施例が、図１に示すような録音再生進度の指示パターンを掲示しており、図１では、時間バー１０が、見ようとするビデオコンテンツの時間の長さを示し、斜線部分（録画領域１２）が、ビデオコンテンツを記憶メディアに録画する状態を示し、空白部分が、録画していない領域１４であり、録画領域１２と空白部分１４の間の限界１３が、録画された時点であり、使用者が、矢印１１を録画領域１２の如何なる位置に移動して当時の内容を見るように制御できる。
【０００４】
また、米国特許第５９０３２６４号にも、ビデオデータのダウンロード時に用いる再生時間バーを掲示しており、使用者がその中の時間インジケーションにより見る位置を切り替えることができる。
【発明の開示】
【発明が解決しようとする課題】
【０００５】
上記のリアルタイムビデオダウンロードの手段でＴＶや映画や音楽を視聴するシステム、例えば、ＶＯＤは、ユーザより対応するマルチメディア再生装置で視聴し、従来技術より供給されたやさしい再生及び制御インターフェースを有し、ユーザが便利、分かり易い状態で使用できる。例えば、米国特許第６８４７７７８号に掲示されているマルチメディアビジュアル進度表示システムは、図２に示されるように、スクリーン２０（例えば、テレビスクリーン、コンピュータスクリーン）に長い棒状のビデオ再生バー２１が表示され、ビデオの終始時点を表示する他に、再生位置を調整できる調整バー２２を有し、ビデオのダウンロードまたは再生、即ち、マルチメディア中のメモリよりビデオデータを一時的記憶（録画）する時に、図に示すように、再生バー２１中のキャッシュ領域２３に表示され、使用者が何時でもキャッシュ領域２３の如何なる位置に切り替え、メモリに一時的記憶された内容を見ることができる。
【０００６】
上記の従来技術が供給しているビデオ再生インジケーションの態様を除く、本発明は、リング状のマルチメディア再生進度インジケータにより、表示スペースが占められなく、簡単明瞭なマルチメディア再生進度インジケータ及びその信号方法を提供する。
【課題を解決するための手段】
【０００７】
本発明は、マルチメディア再生の時に、読み取り並びに制御し易いリング・再生進度インターフェースを提供するリング・マルチメディア再生進度インジケータ及びその信号指示方法である。本発明は、マルチメディア製品、例えば、ＰＶＲ（パーソナル  ビデオ  レコーダ）、マルチメディアセンター、デジタルマルチメディアサーバ、デジタルマルチメディア再生装置、携帯式マルチメディア再生装置、ゲームコンソール、ＩＰＴＶ  ＳＴＢ等に適応できる。
【０００８】
上記のリング・マルチメディア再生進度インジケータは、マルチメディアコンテンツの再生制御時にスクリーンに表示されるリング・インジケータであって、該リング・インジケータの好ましい実施例が、マルチメディアの再生制御時にスクリーンに表示されるリング表示領域と、１または複数の状態パターンによりマルチメディアコンテンツの再生状態を表示する状態指示領域と、リング・棒状領域によりマルチメディアコンテンツの再生の長さを表示するリング時間バーと、リング・棒状色領域によりマルチメディアコンテンツの一時的記憶状態をダイナミックに表示するリング・一時的記憶指示領域と、マルチメディアコンテンツの再生進度をダイナミックに表示する進度インジケーションとを含む。状態パターン、リング時間バーのリング・棒状領域、リング・一時的記憶指示領域の棒状色領域、進度インジケータ及びリング表示領域のリング・色領域が、隣接同士では異なる表示態様の色領域であり、よって、各領域表示の機能を区別する。
【０００９】
本発明によるリング・マルチメディア再生進度インジケータの信号方法は、マルチメディア再生装置によりネットワーク、ケーブルＴＶまたは無線手段でダウンロードしたマルチメディアコンテンツを受信し、その内容をバッファに一時的記憶し、続いて、該マルチメディアコンテンツを再生し始め、使用者が停止や一時停止や早送り、早戻し等を制御しようとすると、該インジケータが、マルチメディア再生の制御信号を受信し、上記のリング・マルチメディア再生進度インジケータを起動させ、スクリーンの所定位置に表示される。上記のリング・マルチメディア再生進度インジケータに、さらに、マルチメディアコンテンツの再生の長さを指示するリング時間バーが表示され、状態パターンによりマルチメディアコンテンツの再生状態を表示し、リング・棒状色領域でリング時間バーにダイナミックに表示され、マルチメディアコンテンツの一時的記憶状態を表示し、リング時間バーにダイナミックに表示される進度インジケーションより、マルチメディアコンテンツの再生進度を表示し、並びに、制御信号を受信した一段の時間内に、該リング・マルチメディア再生進度インジケータの表示を削除する。
【００１０】
本発明の他一つ実施例のリング・マルチメディア再生進度インジケータの信号方法は、マルチメディアコンテンツを再生する時に、リング・マルチメディア再生進度インジケータをスクリーンに表示し、続いて制御信号を検出した後に、所定色のリング・一時的記憶指示領域で一時的記憶状態を表示し、また、所定色の録画指示領域で記憶メディアに記録する状態を表示し、一時停止または停止信号を受信すると、該リング・マルチメディア再生進度インジケータのリング時間バー上の進度インジケーションを停止させる工程と、早送り、早戻し制御信号を受信すると、進度インジケータが早送り、早戻しを行い、その後、一時的記憶及び録画する工程とを含む。
【発明を実施するための最良の形態】
【００１１】
本発明は、スクリーン（例えば、テレビやコンピュータスクリーン等）上にマルチメディアコンテンツを再生する時に、簡単や直感で、読み取り並びに制御し易いリング・再生進度インターフェースを提供するリング・マルチメディア再生進度インジケータ及びその信号指示方法である。本発明は、マルチメディア製品、例えば、ＰＶＲ、マルチメディアセンター、デジタルマルチメディアサーバ、デジタルマルチメディア再生装置、携帯式マルチメディア再生装置、ゲームコンソール、ＩＰＴＶ  ＳＴＢ等に適応できる。使用者がリモコン或いは各再生装置上の制御インターフェースで操作する時に、本発明によるリング・マルチメディア再生進度インジケータが、該制御時にスクリーンに表示され、少なくとも現在の番組の長さ、キャッシュ番組の長さ、録画番組の長さ、現在の再生時点及びシステムの現在再生状態（正常、一時停止、早送り、早戻し等）を使用者に提示できる。
【００１２】
図３に示すように、この実施例では、使用者がダウンロードした流動（ｓｔｒｅａｍｉｎｇ）ビデオマルチメディアコンテンツを視聴する時に、上記のリング・マルチメディア再生進度インジケータをスクリーン上に表示し、該表示方式は透明、半透明または不透明な手段で達成すればよい。表示期間は、リモコン３４で、少なくとも再生、一時停止、停止、様々な倍数（１ｘ，２ｘ，３ｘ等）の早送り／早戻し、スロー送り再生、スロー戻し再生、録画などを含む様々な再生機能を操作できる。本発明による実施例は、無線またはケーブルで受信するテレビ番組、ネットワークＴＶ及びＶＯＤ等の視聴目的に適応できる。制御する時に、スクリーン３０上の所定位置に表示されるリング・マルチメディア再生進度インジケータ３２が、ソフトウェア方式で達成でき、該所定位置が出荷予定値であり、使用者が自己定義しても良い。
【００１３】
上記では、リング・マルチメディア再生進度インジケータをスクリーン上に表示し、マルチメディアコンテンツの長さの情報を表現させ、再生位置情報をリング指示領域上の進度指示カーソルに示し、また、再生状態情報を識別文字符号に示し、さらに、デジタルでタイミング情報を正確的に描写する。マルチメディアコンテンツ中の一部が特別状態（例えば、一時停止または録画され）にある時に、パターン指示領域上に異なる色で該部分の長さ及び位置を表示させ、進度指示カーソルや状態指示領域等のメッセージが、再生状態に応じて変化させる。
【００１４】
図４は、上記リング・マルチメディア再生進度インジケータの好ましい実施例を示し、マルチメディアコンテンツ再生制御時に、スクリーンに表示されるリング・マルチメディア再生進度インジケータ４は、複数の透明、半透明または不透明の色領域からなり、
（１）マルチメディア再生制御時に、スクリーンに表示される透明、半透明または不透明のリング・色領域がそのうち領域のベースパターンになるリング表示領域４０と、
（２）上記リング表示領域４０に示され、１または複数の状態パターンによりマルチメディアコンテンツ再生状態（例えば、図中では三角形で表示される再生状態パターンの他、二つの三角形で表示される早送り／早戻し状態、両細い直方形で表示される一時停止状態、方形で表示される停止状態、円形で表示される録画状態など一般のパターンを有するが、実際に実施すると、図中及び上記説明の表示方式に限られない）を表示し、リング表示領域４０と異なる色領域で表示できる状態指示領域４７と、
（３）上記リング表示領域４０に示され、リング表示領域４０と異なる色領域で表示できるリング・棒状領域により、該マルチメディアコンテンツの再生の長さを表示し、時計方向又は逆時計方向で再生時間が表示できるリング時間バー４５と、
（４）上記リング時間バー４５の終始時点、又は、マルチメディアコンテンツをバッファに記憶する時間範囲、又は、マルチメディアコンテンツの再生速度、又はマルチメディアコンテンツの再生時間の長さなど（図中では、この実施例がリング表示領域４０の両側に示され、マルチメディアコンテンツの終始時点を示すが、実際に実施する時、これに限られない）を表示する時間表示領域（４８、４９）と、
（５）上記リング時間バー４５に表示され、リング・棒状色領域によりマルチメディアコンテンツをバッファに一時的記憶する状態をダイナミックに表示し、リング時間バー４５と異なる色領域で表示でき、即ち、マルチメディアコンテンツをダウンロードし始める時に、供給側からバッファに持続的にダウンロードし、流暢な再生の目的を達成するリング・一時的記憶指示領域４３と、
（６）上記リング・一時的記憶指示領域４３に表示され、進度インジケーションによりマルチメディアコンテンツの再生進度をダイナミックに表示し、リング・一時的記憶指示領域４３と異なる色領域で表示することもでき、使用者がカーソル又は他の制御方式でこの進度インジケーション４１の位置を制御でき、異なるタイミングの一時的記憶マルチメディアコンテンツを何時でも再生できる進度インジケーション４１と、を含む。
【００１５】
上記各リング色領域が、隣接同士では異なる表示態様の色領域であることによって、各領域表示の機能を区別する。
【００１６】
マルチメディアコンテンツを初めて再生する時、使用者が再生動作をすると、上記リング・マルチメディア再生進度インジケータ４が、スクリーンに表示され、図５Ａに示すように、進度インジケーション４１が、リング表示領域４０中のリング時間バー４５に表示され、この際、流動データをマルチメディアコンテンツの供給側からバッファに継続的にダウンロードする。
【００１７】
図５Ｂに示すように、マルチメディアコンテンツが再生された一段の時間後に、リング時間バー４５中にリング・一時的記憶指示領域４３の色領域が表示され、バッファに一時的記憶された内容の長さが表示され、使用者がリング・一時的記憶指示領域４３の如何なる位置に該内容を容易に切り替える。
【００１８】
図５Ｃは、マルチメディアコンテンツがもう一段の時間までに再生された表示状態を示す。
【００１９】
図６は、本発明によるリング・マルチメディア再生進度インジケータのもう一つの実施例であり、この実施例は、マルチメディアコンテンツをメディア（例えば、ハードディスク、光ディスク、フラッシュメモリ、又は他の不揮発性メモリに記憶する態様に適応し、この実施例も、リング・マルチメディア再生進度インジケータを示しており、且つ、図４に示される実施例と同じであり、複数の透明、半透明または不透明の色領域からなり、主に、
（１）透明、半透明または不透明のリング色領域からなるリング表示領域６０と、
（２）上記リング表示領域６０に示され、１または複数の状態パターンによりマルチメディアコンテンツ再生状態を表示する状態指示領域６７と（該図式が図４と同じ表示である）、
（３）上記リング表示領域６０に表示され、該マルチメディアコンテンツの再生の長さを表示するリング時間バー６５と、
（４）上記リング時間バー６５の終始時点を表示する時間表示領域（６８、６９）と（他では、マルチメディアコンテンツがバッファに保存される時間範囲、又はマルチメディアコンテンツの再生進度、又はマルチメディアコンテンツの再生時間長さなどが表示できる）、
（５）マルチメディアコンテンツの再生進度をダイナミックに表示する進度インジケーション６１と（使用者が該進度インジケーション６１の位置を制御し異なる時点のマルチメディアコンテンツを再生できる）、
（６）進度インジケーション６１の前後に表示され、マルチメディアコンテンツをダウンロードする時に、該内容がメディア内に録画され（バッファから該メディア内に録画する）、且つ、リング時間バー６５に表示され、録画されたマルチメディアコンテンツの状態を指示する録画指示領域６４と、
（７）上記記憶メディアに録画した録画指示領域６４が表示するマルチメディアコンテンツを除く、リング時間バー６５に表示されるリング一時的記憶指示領域６３で、マルチメディアコンテンツがバッファに一時的記憶される状態をダイナミックに表示し、即ち、マルチメディアコンテンツが記憶メディアに記憶されない時に、再生装置がダウンロードしたマルチメディアコンテンツを、供給側からバッファに持続的にダウンロードし、流暢な再生の目的を達成することと、を含む。
【００２０】
上記各リング色領域が、隣接同士では異なる表示態様の色領域であり、特に、リング時間バー６５に表示される進度インジケーション６１、録画指示領域６４及びリング一時的記憶指示領域６３が、異なる色領域又はパターンで表示し、よって、各領域表示の機能を区別する。
【００２１】
図７Ａ乃至Ｃは、図６に示される実施例の表示状態である。始めのときに、図７Ａに示すように、使用者が制御すると、スクリーン上に透明、半透明又は不透明の方式でリング表示領域６０を表示し、進度インジケーション６１がリング時間バー６５の開始端に表示される。
【００２２】
図７Ｂに示すように、一定の時間内でマルチメディアコンテンツが再生された後に、リング表示領域６０中のリング時間バー６５上に、マルチメディアコンテンツがバッファに一時的記憶される状態を表示するリング・一時的記憶指示領域６３と、マルチメディアコンテンツが記憶メディアに録画される状態を表示する録画指示領域６４を表示し、さらに、進度インジケーション６１で現在の再生速度を表現する。
【００２３】
図７Ｃに示すように、もう一段の時間までにマルチメディアコンテンツが再生された後に、図７Ｂのように、特に言うべきは、録画指示領域６４で表示され、記憶メディアに録画されるマルチメディアコンテンツが、バッファから転録するものでもよい、図中では、リング一時的記憶指示領域６３が、リング時間バー６５中に、その範囲が録画指示領域６４の亘る範囲より大きく、また、進度インジケーション６１で現在の再生速度を表現する。
【００２４】
本発明によるリング・マルチメディア再生進度インジケータの信号指示方法は、図８に示される。
【００２５】
始めのときに、それぞれの装置を接続状態や再生準備等のように完成させる必要があり、その後、マルチメディアコンテンツを受信し始め（ステップＳ８０１）、再生開始又は再生をなお始めていない時に、再生装置がマルチメディアコンテンツを先にダウンロードし、バッファ（例えば、ＤＲＡＭ、フラッシュメモリ、ハードディスクなどからなる）に一時的記憶できる（ステップＳ８０３）。バッファ内にマルチメディアコンテンツが記憶された時に、使用者によって制御し再生し始め（ステップ８０５）、再生期間又はなお再生してない時に、一実施例ではマルチメディアコンテンツが記憶メディア（不揮発性メモリで実施可能）に予め録画される（ステップ８０７）。
【００２６】
再生装置が制御信号、例えば、使用者の操作又は他のシステムの対応措置（オフ、休みなど）を受信すると（ステップ８０９）、本発明によるリング・マルチメディア再生進度インジケータを起動し（ステップ８１１）、該インジケータをスクリーンに表示させ（該表示方式が、フェード・イン、ポップアップ又は即時表現からなる）（ステップ８１３）、同時又は順次にリング時間バーを表示し（ステップ８１５）、状態指示領域で再生状態を表示し（ステップ８１７）、リング・一時的記憶指示領域で一時的記憶状態を表示し（ステップ８１９）、進度インジケーションで再生速度を表示し（ステップ８２１）、さらに、制御信号がない時間を経て又は一定時間を越えた後に上記表示状態を削除する（ステップ８２３）。
【００２７】
図９は、異なる操作状態の実施態様を示す。
【００２８】
マルチメディアコンテンツを再生し始め（ステップＳ９０１）、しかも、スクリーン上にリング・マルチメディア再生進度インジケータを表示しており、ここで、使用者が操作する制御信号を検出する必要があり、また、スクリーン上に常に表示される実施例もある。リング・マルチメディア再生進度インジケータを表示する時に、特定の色で一時的記憶状態を表示し（ステップＳ９０３）、且つ特定の色で記憶メディアに録画される状態を表示する（ステップＳ９０５）。その後、使用者の操作により、ステップＳ９０９に記述されるような一時停止又は停止信号を受信する時、リング時間バー上の進度インジケーションが停止されるが、メモリ（一時的記憶の空間及び録画の空間）の大きさに応じて一時的記憶又は／及び録画を継続し（ステップＳ９１１）、使用者がステップＳ９１３に記述されるような早送り、早戻しなどの制御を操作すると、進度インジケーションが早送りまたは早戻しをし、これもメモリの大きさに応じて一時的記憶及び録画を継続する（ステップＳ９１５）。
【００２９】
以上のように、本発明はリング・マルチメディア再生進度インジケータの信号方法であって、該リング・マルチメディア再生進度インジケータが、マルチメディアコンテンツ再生制御の時にスクリーン上に表示され、中で表示される状態パターン、リング時間バーのリング・棒状領域、リング・一時的記憶指示領域の棒状色領域、進度インジケーション、コンテンツ録画指示領域及びリング表示領域のリング色領域が、隣接同士では異なる表示態様の色領域であり、よって、各領域表示の機能を区別し、且つ、各領域のそれぞれ又は全てが、透明、半透明又は不透明の手段で表示できる。
【００３０】
しかし、前記の説明は、単に本発明の実施可能な実施例に過ぎなく、本発明の特許請求の範囲を局限するものではなく、いずれの当該分野における通常の知識を有する専門家が本発明の分野の中で、適当に変更や修飾などを実施できるが、それらの実施のことが本発明の主張範囲内に納入されるべきことは言うまでもないことである。
【図面の簡単な説明】
【００３１】
【図１】従来の技術ビデオ再生インジケータを示す図である。
【図２】従来の技術ビデオ再生インジケータを示す図である。
【図３】本発明に係るリング・マルチメディア再生進度インジケータを示す図である。
【図４】本発明に係るリング・マルチメディア再生進度インジケータの実施例を示す図である。
【図５】Ａ乃至Ｃは、本発明に係るリング・マルチメディア再生進度インジケータを示す図である。
【図６】本発明に係るリング・マルチメディア再生進度インジケータの実施例を示す図である。
【図７】Ａ乃至Ｃは、本発明に係るリング・マルチメディア再生進度インジケータを示す図である。
【図８】本発明に係るリング・マルチメディア再生進度インジケータ信号指示方法の実施例を示すフローチャートである。
【図９】本発明に係るリング・マルチメディア再生進度インジケータ信号指示方法の実施例を示すフローチャートである。
【符号の説明】
【００３２】
１０    時間バー
１１    矢印
１２    録画領域
１３    限界
１４    録画していない領域
２０    スクリーン
２１    再生バー
２２    調整バー
２３    キャッシュ領域
３４    リモコン
３０    スクリーン
３２    リング・マルチメディア再生進度インジケータ
４、６  リング・マルチメディア再生進度インジケータ
４０    リング表示領域
４１    進度インジケーション
４３    リング一時的記憶指示領域
４５    リング時間バー
４７    状態指示領域
４８、４９  時間表示領域
６０    リング表示領域
６１    進度インジケーション
６３    リング一時的記憶指示領域
６４    録画指示領域
６５    リング時間バー
６７    状態指示領域
６８、６９  時間表示領域
【図１】
2007206809.tif 000003
【図２】
2007206809.tif 000004
【図３】
2007206809.tif 000005
【図４】
2007206809.tif 000006
【図５】
2007206809.tif 000007
【図６】
2007206809.tif 000008
【図７】
2007206809.tif 000009
【図８】
2007206809.tif 000010
【図９】
2007206809.tif 000011
【手続補正書】
【提出日】平成18年4月3日(2006.4.3)
【手続補正１】
【補正対象書類名】明細書
【補正対象項目名】００２８
【補正方法】変更
【補正の内容】
【００２８】
マルチメディアコンテンツを再生し始め（ステップＳ９０１）、しかも、スクリーン上にリング・マルチメディア再生進度インジケータを表示しており（ステップＳ９０３）、ここで、使用者が操作する制御信号を検出する必要があり、また、スクリーン上に常に表示される実施例もある。リング・マルチメディア再生進度インジケータを表示する時に、特定の色で一時的記憶状態を表示し（ステップＳ９０５）、且つ特定の色で記憶メディアに録画される状態を表示する（ステップＳ９０７）。その後、使用者の操作により、ステップＳ９０９に記述されるような一時停止又は停止信号を受信する時、リング時間バー上の進度インジケーションが停止されるが、メモリ（一時的記憶の空間及び録画の空間）の大きさに応じて一時的記憶又は／及び録画を継続し（ステップＳ９１１）、使用者がステップＳ９１３に記述されるような早送り、早戻しなどの制御を操作すると、進度インジケーションが早送りまたは早戻しをし、これもメモリの大きさに応じて一時的記憶及び録画を継続する（ステップＳ９１５）。
【手続補正２】
【補正対象書類名】図面
【補正対象項目名】図９
【補正方法】変更
【補正の内容】
【図９】
2007206809.tif 000012